(57)【要約】  移動局と通信を行う基地局装置に、移動局より送信される上りリンクの信号に基づいて、移動局との下りリンクの同期外れを判定する同期外れ判定手段を備えることにより達成される。
2009022605.tif 000002
【特許請求の範囲】
【請求項１】
移動局と通信を行う基地局装置であって：
前記移動局より送信される上りリンクの信号に基づいて、前記移動局との下りリンクの同期外れを判定する同期外れ判定手段；
を備えることを特徴とする基地局装置。
【請求項２】
請求項１に記載の基地局装置において：
前記移動局より送信される上りリンクの信号には、無線品質情報含まれ、
前記同期外れ判定手段は、
前記無線品質情報に基づいて、前記移動局との下りリンクの同期外れを判定することを特徴とする基地局装置。
【請求項３】
請求項１に記載の基地局装置において：
前記移動局より送信される上りリンクの信号には、前記下りリンクの信号に対する送達確認情報が含まれ、
前記同期外れ判定手段は、
前記送達確認情報に基づいて、前記移動局との下りリンクの同期外れを判定することを特徴とする基地局装置。
【請求項４】
請求項１に記載の基地局装置において：
前記移動局より送信される上りリンクの信号には、無線品質情報と、前記下りリンクの信号に対する送達確認情報とが含まれ、
前記同期外れ判定手段は、
前記無線品質情報及び前記下りリンクの信号に対する送達確認情報に基づいて、前記移動局との下りリンクの同期外れを判定することを特徴とする基地局装置。
【請求項５】
請求項２に記載の基地局装置において：
前記同期外れ判定手段は、
前記無線品質情報値が所定の閾値以下である状態が、所定の時間以上継続した場合に、前記移動局との下りリンクが同期外れであると判定することを特徴とする基地局装置。
【請求項６】
請求項３に記載の基地局装置において：
前記同期外れ判定手段は、
前記下りリンクの信号に関する送達確認情報が否定応答又は非送信である状態が、所定の時間以上継続した場合に、前記移動局との下りリンクが同期外れであると判定することを特徴とする基地局装置。
【請求項７】
移動局と通信を行う基地局装置であって：
下りリンクの信号を用いて、前記移動局に上りリンクの送信を指示する指示手段と、
前記移動局より送信される上りリンクの信号が送信されたか否かに基づいて、前記移動局との下りリンクの同期外れを判定する同期外れ判定手段；
を備えることを特徴とする基地局装置。
【請求項８】
移動局と通信を行う基地局装置であって：
下りリンクの信号の再送回数に基づいて、前記移動局との下りリンクの同期外れを判定する同期外れ判定手段；
を備えることを特徴とする基地局装置。
【請求項９】
複数の移動局と通信を行う基地局装置であって：
検出した下りリンクの同期外れに基づいて、該下りリンクの同期外れの対象となる移動局に対して、上りリンクのリソース及び／又は下りリンクのリソースを割り当てないことを特徴とする基地局装置。
【請求項１０】
複数の移動局と通信を行う基地局装置であって：
検出した下りリンクの同期外れに基づいて、該下りリンクの同期外れを検出した対象となる移動局との通信を切断することを特徴とする基地局装置。
【請求項１１】
移動局と通信を行う基地局装置であって：
通信開始時に、下りリンクの無線品質情報及び前記下りリンクの信号の送達確認情報の少なくとも１つに基づいて、前記移動局との下りリンクの同期状態が確立されたと判定する同期確立判定手段；
を備えることを特徴とする基地局装置。
【請求項１２】
移動局と通信を行う基地局装置であって：
ランダムアクセス手順におけるＲＡ  ｒｅｓｐｏｎｓｅを送信するＲＡ  ｒｅｓｐｏｎｓｅ送信部；
ＲＡ  ｒｅｓｐｏｎｓｅに含まれるＵＬ  Ｓｃｈｅｄｕｌｉｎｇ  Ｇｒａｎｔに対応するＵＬ−ＳＣＨを受信する受信部；
上りリンクまたは下りリンクの同期状態を判定する同期状態判定部；
を具備し、
前記同期状態判定部は、前記ＵＬ−ＳＣＨの復号結果がＯＫであった場合に、上りリンクまたは下りリンクの同期が確立されていると判定し、ＨＡＲＱ再送後のＵＬ−ＳＣＨの復号結果がＮＧであった場合に、上りリンクまたは下りリンクの同期が確立されていないと判定することを特徴とする基地局装置。
【請求項１３】
移動局と通信を行う基地局装置における送信制御方法であって：
前記移動局に対して下りリンクの信号を送信する送信ステップ；
前記移動局より送信される前記下りリンクの信号に対する上りリンクの信号に含まれる情報に基づいて、前記移動局との下りリンクの同期外れを判定する同期外れ判定ステップ；
を有することを特徴とする送信制御方法。
【発明の詳細な説明】
【技術分野】
【０００１】
本発明は、移動通信システムに関し、特に基地局装置及び送信制御方法に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＷＣＤＭＡにおいては、下りリンクの同期外れとして、以下の２つが定義されている（例えば、非特許文献２参照）。【０００６】
・個別物理制御チャネルの受信品質（ＤＰＣＣＨ（Ｄｅｄｉｃａｔｅｄ  Ｐｈｙｓｉｃａｌ  Ｃｏｎｔｒｏｌ  Ｃｈａｎｎｅｌ）  ｑｕａｌｉｔｙ）
・巡回冗長検査（ＣＲＣ（Ｃｙｃｌｉｃ  Ｒｅｄｕｎｄａｎｃｙ  Ｃｈｅｃｋ）  ｃｈｅｃｋ）結果
ここで、ＤＰＣＣＨ  ｑｕａｌｉｔｙはパイロット  シンボル（Ｐｉｌｏｔ  ｓｙｍｂｏｌｓ）や送信電力制御（ＴＰＣ：  Ｔｒａｎｓｍｉｓｓｉｏｎ  ｐｏｗｅｒ  ｃｏｎｔｒｏｌ）ビットの受信品質、例えば、ＳＩＲ（ｓｉｇｎａｌ−ｔｏ−ｉｎｔｅｒｆｅｒｅｎｃｅ  ｐｏｗｅｒ  ｒａｔｉｏ）や受信レベルに相当し、ＣＲＣ  ｃｈｅｃｋ結果はブロック  エラー  レート（Ｂｌｏｃｋ  ｅｒｒｏｒ  ｒａｔｅ）に相当する。【０００７】
ＷＣＤＭＡは、基地局装置と移動局との間に１対１で設定される通信チャネル（個別チャネル）を用いた移動通信方式であり、ＤＰＣＣＨは基本的に毎スロット送信される。よって、上述したような、毎スロット送信されるＤＰＣＣＨを用いた同期判定が可能となる。【０００８】
また、ＤＰＣＣＨには上りリンクの送信電力制御のためのＴＰＣビットが含まれるが、このＴＰＣビットが誤った場合、上りリンクの送信電力が適切に制御されないという問題が生じる。例えば、上りリンクの送信電力が必要以上に大きくなった場合には、他の移動局から送信される上りリンクの信号に対して干渉信号となり、結果として、システムの効率を損なうことになる。よって、ＴＰＣビット、あるいは、ＴＰＣビットと同等の信号である個別パイロットシンボルの受信品質に応じて下りリンクの同期外れを判定し、同期外れを検出した場合には、上りリンクの送信を停止するといった制御が行われる。
【非特許文献１】3GPP TR 25.814 (V7.0.0), "Physical Layer Aspects for Evolved UTRA," June 2006
【非特許文献２】3GPP TS 25.214 (V7.2.0), "4.3.1.3 Uplink Synchronization primitives" Sept. 2006
【発明の開示】
【発明が解決しようとする課題】
【０００９】
しかしながら、上述した背景技術には以下の問題がある。【００１０】
ＬＴＥシステムは、上りリンク、下りリンクともに共有チャネルを用いた通信システムであり、ＷＣＤＭＡのような基地局装置と移動局の間で１対１に設定される個別チャネルは存在しない。よって、上述したＤＰＣＣＨを用いた同期外れの判定を行うことができない。【００１１】
また、ＬＴＥシステムでは、あるサブフレームにおいて、どの移動局が上りリンク及び下りリンクの共有チャネルを用いて通信を行うかを基地局装置が決定するため、基地局装置が、基地局装置と移動局との間の同期状態を判定する必要がある。例えば、基地局装置が、下りリンクの同期が外れている移動局に対して上りリンク又は下りリンクの共有チャネルを割り当てたとしても、実際には、信号は正常に送達されないため、結果として、無線リソースの無駄遣いとなる。【００１２】
そこで、本発明は、上述した課題に鑑み、その目的は、下りリンクにおける各移動局との同期状態を判定できる基地局装置及び送信制御方法を提供することにある。【００１３】
本発明の他の目的は、下りリンクにおける各移動局との同期状態の判定結果に基づいて、上りリンク又は下りリンクのスケジューリングを行うことにより、上りリンク又は下りリンクの伝送特性及び容量を改善できる基地局装置を提供することにある。
【課題を解決するための手段】
【００１４】
上記課題を解決するため、本発明の基地局装置は、
移動局と通信を行う基地局装置であって：
前記移動局より送信される上りリンクの信号に基づいて、前記移動局との下りリンクの同期外れを判定する同期外れ判定手段；
を備えることを特徴の１つとする。【００１５】
本発明の他の基地局装置は、  移動局と通信を行う基地局装置であって：
下りリンクの信号を用いて、前記移動局に上りリンクの送信を指示する指示手段と、
前記移動局より送信される上りリンクの信号が送信されたか否かに基づいて、前記移動局との下りリンクの同期外れを判定する同期外れ判定手段；
を備えることを特徴の１つとする。【００１６】
本発明の他の基地局装置は、
移動局と通信を行う基地局装置であって：
下りリンクの信号の最大再送回数に基づいて、前記移動局との下りリンクの同期外れを判定する同期外れ判定手段；
を備えることを特徴の１つとする。【００１７】
本発明の他の基地局装置は、
複数の移動局と通信を行う基地局装置であって：
検出した下りリンクの同期外れに基づいて、該下りリンクの同期外れの対象となる移動局に対して、上りリンクのリソース及び／又は下りリンクのリソースを割り当てないことを特徴の１つとする。【００１８】
本発明の他の基地局装置は、
複数の移動局と通信を行う基地局装置であって：
検出した下りリンクの同期外れに基づいて、該下りリンクの同期外れを検出した対象となる移動局との通信を切断することを特徴の１つとする。【００１９】
本発明の他の基地局装置は、
移動局と通信を行う基地局装置であって：
通信開始時に送信した下りリンクの信号に関する無線品質情報及び前記下りリンクの信号の送達確認情報の少なくとも１つに基づいて、前記移動局との下りリンクの同期状態が確立されたと判定する同期確立判定手段；
を備えることを特徴の１つとする。【００２０】
本発明の他の基地局装置は、
移動局と通信を行う基地局装置であって：
ランダムアクセス手順におけるＲＡ  ｒｅｓｐｏｎｓｅを送信するＲＡ  ｒｅｓｐｏｎｓｅ送信手段；
ＲＡ  ｒｅｓｐｏｎｓｅに含まれるＵＬ  Ｓｃｈｅｄｕｌｉｎｇ  Ｇｒａｎｔに対応するＵＬ−ＳＣＨを受信する受信手段；
上りリンクまたは下りリンクの同期状態を判定する同期状態判定手段；
を具備し、
前記同期状態判定手段は、前記ＵＬ−ＳＣＨの復号結果がＯＫであった場合に、上りリンクまたは下りリンクの同期が確立されていると判定し、ＨＡＲＱ再送後のＵＬ−ＳＣＨの復号結果がＮＧであった場合に、上りリンクまたは下りリンクの同期が確立されていないと判定する。【００２１】
本発明の送信制御方法は、
移動局と通信を行う基地局装置における送信制御方法であって：
前記移動局に対して下りリンクの信号を送信する送信ステップ；
前記移動局より送信される前記下りリンクの信号に対する上りリンクの信号に含まれる情報に基づいて、前記移動局との下りリンクの同期外れを判定する同期外れ判定ステップ；
を有することを特徴の１つとする。
【発明の効果】
【００２２】
本発明の実施例によれば、基地局装置は、下りリンクの同期状態を把握することが可能となり、該下りリンクの同期状態に基づいたスケジューリングを行うことにより、上りリンク又は下りリンクの伝送特性及び容量を改善できる基地局装置及び送信制御方法を実現できる。
【図面の簡単な説明】
【００２３】
【図１】本発明の実施例に係る無線通信システムの構成を示すブロック図である。
【図２】上りリンク制御チャネルのマッピングの一例を示す説明図である。
【図３】本発明の一実施例に係る基地局装置を示すブロック図である。
【図４】本発明の一実施例に係る基地局装置のベースバンド信号処理部を示す部分ブロック図である。
【図５】本発明の一実施例に係る下りリンク同期外れ検出方法を示すフロー図である。
【図６】本発明の一実施例に係るスケジューリング方法を示すフロー図である。
【図７】本発明の一実施例に係る基地局装置における送信制御方法を示すフロー図である。
【符号の説明】
【００２４】
５０  セル
１００ｎ（１００１、１００２、１００３、・・・、１００ｎ）  ユーザ装置
２００  基地局装置
２０２  送受信アンテナ
２０４  アンプ部
２０６  送受信部
２０８  ベースバンド信号処理部
２０８１  レイヤー１処理部
２０８１１  受信処理部
２０８１２  送信処理部
２０８１３  上りリンクのＣＱＩ復調処理部
２０８１４  上りリンクのＡＣＫ  Ｉｎｆｏｒｍａｔｉｏｎ復調処理部
２０８１５  上りリンクのＵＬ−ＳＣＨ復調処理部
２０８１６  上りリンクのＳｏｕｎｄｉｎｇ  ＲＳ復調処理部
２０８１７  下りリンクの変調処理部
２０８２  ＭＡＣ処理部
２０８３  ＲＬＣ処理部
２０８４  同期外れ判定部
２１０  呼処理部
２１２  伝送路インターフェース
３００  アクセスゲートウェイ装置
４００  コアネットワーク
５００  物理上りリンク共有チャネル
５１０  上りリンク制御チャネル
５２０  上りリンク制御チャネル
【発明を実施するための最良の形態】
【００２５】
次に、本発明を実施するための最良の形態を、以下の実施例に基づき図面を参照しつつ説明する。
なお、実施例を説明するための全図において、同一機能を有するものは同一符号を用い、繰り返しの説明は省略する。【００２６】
本発明の実施例に係る基地局装置が適用される無線通信システムについて、図１を参照して説明する。【００２７】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００と複数の移動局（ＵＥ：  Ｕｓｅｒ  Ｅｑｕｉｐｍｅｎｔ）１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。ここで、移動局１００ｎはセル５０において基地局装置２００とＥｖｏｌｖｅｄ  ＵＴＲＡ  ａｎｄ  ＵＴＲＡＮにより通信を行う。尚、前記アクセスゲートウェイ装置３００は、ＭＭＥ／ＳＧＷ(Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ)と呼ばれてもよい。【００２８】
以下、移動局１００ｎ（１００１、１００２、１００３、・・・１００ｎ）については、同一の構成、機能、状態を有するので、以下では特段の断りがない限り移動局１００ｎとして説明を進める。説明の便宜上、基地局装置と無線通信するのは移動局であるが、より一般的には移動端末も固定端末も含むユーザ装置（ＵＥ：  Ｕｓｅｒ  Ｅｑｕｉｐｍｅｎｔ）でよい。【００２９】
無線通信システム１０００は、無線アクセス方式として、下りリンクについてはＯＦＤＭＡ（周波数分割多元接続）、上りリンクについてはＳＣ−ＦＤＭＡ（シングルキャリア−周波数分割多元接続）が適用される。上述したように、ＯＦＤＭＡは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。【００３０】
ここで、Ｅｖｏｌｖｅｄ  ＵＴＲＡ  ａｎｄ  ＵＴＲＡＮにおける通信チャネルについて説明する。【００３１】
下りリンクについては、各移動局１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、下りリンクの制御チャネルである物理下りリンク制御チャネル（ＰＤＣＣＨ：  Ｐｈｙｓｉｃａｌ  Ｄｏｗｎｌｉｎｋ  Ｃｏｎｔｒｏｌ  Ｃｈａｎｎｅｌ）とが用いられる。すなわち、下りリンクチャネルは、物理下りリンク共有チャネルと物理下りリンク制御チャネルとを指す。下りリンクでは、物理下りリンク制御チャネルにより、物理下りリンク共有チャネルにマッピングされるユーザの情報やトランスポートフォーマットの情報、物理上りリンク共有チャネルにマッピングされるユーザの情報やトランスポートフォーマットの情報、物理上りリンク共有チャネルの送達確認情報などが通知され、物理下りリンク共有チャネルによりユーザデータが伝送される。【００３２】
尚、物理下りリンク共有チャネルにマッピングされるトランスポートチャネルは下りリンク共有チャネル（ＤＬ−ＳＣＨ：  Ｄｏｗｎｌｉｎｋ  Ｓｈａｒｅｄ  Ｃｈａｎｎｅｌ）である。すなわち、ユーザデータは、ＤＬ−ＳＣＨにマッピングされる。【００３３】
また、上述した、物理下りリンク共有チャネルにマッピングされるユーザの情報やトランスポートフォーマットの情報は、下りリンク  スケジューリング  情報（Ｄｏｗｎｌｉｎｋ  Ｓｃｈｅｄｕｌｉｎｇ  Ｉｎｆｏｒｍａｔｉｏｎ）と呼ばれ、また、物理上りリンク共有チャネルにマッピングされるユーザの情報やトランスポートフォーマットの情報は、上りリンク  スケジューリング  グラント（Ｕｐｌｉｎｋ  Ｓｃｈｅｄｕｌｉｎｇ  Ｇｒａｎｔ）と呼ばれる。前記下りリンク  スケジューリング情報は、Ｄｏｗｎｌｉｎｋ  Ａｓｓｉｇｎｍｅｎｔ  ＩｎｆｏｒｍａｔｉｏｎまたはＤｏｗｎｌｉｎｋ  Ｓｃｈｅｄｕｌｉｎｇ  Ｇｒａｎｔと呼ばれてもよい。また、前記下りリンク  スケジューリング情報や上りリンク  スケジューリング  グラントは、まとめて、下り制御情報（Ｄｏｗｎｌｉｎｋ  Ｃｏｎｔｒｏｌ  Ｉｎｆｏｒｍａｔｉｏｎ）と呼ばれてもよい。【００３４】
また、下りリンクにおいては、パイロット信号として、下りリンクリファレンス信号（ＤＬ  ＲＳ：  Ｄｏｗｎｌｉｎｋ  Ｒｅｆｅｒｅｎｃｅ  Ｓｉｇｎａｌ）が送信される。上記下りリンクリファレンス信号は、例えば、移動局により下りリンクのチャネル推定や無線品質の測定に用いられる。【００３５】
上りリンクについては、各移動局１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、ＬＴＥ用の上りリンク制御チャネルとが用いられる。すなわち、上りリンクチャネルは、物理上りリンク共有チャネルとＬＴＥ用の上りリンク制御チャネルとを指す。尚、ＬＴＥ用の上りリンク制御チャネルには、物理上りリンク共有チャネルと時間多重されるチャネルと、周波数多重されるチャネルの２種類がある。図２に、ＬＴＥ用の上りリンク制御チャネルのマッピングを示す。【００３６】
尚、図２において、周波数多重されている上りリンク制御チャネルは、サブフレーム内の２つのスロット間で、マッピングされる位置が異なる（周波数ホッピングが行われる）。図２において、５００は物理上りリンク共有チャネルを示し、５１０は物理上りリンク共有チャネルと周波数多重される場合を示し、５２０は物理上りリンク共有チャネルと時間多重される場合を示す。尚、図２においては、前記時間多重される上りリンク制御チャネルは、サブフレームの先頭にマッピングされているが、サブフレームの途中にマッピングされてもよい。また、前記時間多重される上りリンク制御チャネルは、前記物理上りリンク共有チャネルの一部として送信されてもよい。【００３７】
上りリンクでは、ＬＴＥ用の上りリンク制御チャネルにより、下りリンクにおける共有チャネルのスケジューリング、適応変復調・符号化（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理下りリンク共有チャネルの送達確認情報（ＨＡＲＱ  ＡＣＫ  ｉｎｆｏｒｍａｔｉｏｎ）が伝送される。また、物理上りリンク共有チャネルによりユーザデータが伝送される。【００３８】
尚、上記物理上りリンク共有チャネルにマッピングされるトランスポートチャネルは上りリンク共有チャネル（ＵＬ−ＳＣＨ：  Ｕｐｌｉｎｋ  Ｓｈａｒｅｄ  Ｃｈａｎｎｅｌ）である。すなわち、ユーザデータは、ＵＬ−ＳＣＨにマッピングされる。【００３９】
尚、上述したユーザデータとは、例えば、Ｗｅｂ  ｂｒｏｗｓｉｎｇやＦＴＰ、ＶｏＩＰ等によるＩＰパケットや、Ｒａｄｉｏ  Ｒｅｓｏｕｒｃｅ  Ｃｏｎｔｒｏｌ（ＲＲＣ）の処理のための制御信号などのことであり、以下では、パケットデータとも呼ぶ。また、ユーザデータは、トランスポートチャネルとしての呼び方は、例えばDＬ−ＳＣＨやＵＬ−ＳＣＨでよく、論理チャネルとしての呼び方は、例えば、個別トラヒックチャネル（ＤＴＣＨ：  ｄｅｄｉｃａｔｅｄ  ｔｒａｆｆｉｃ  ｃｈａｎｎｅｌ）や個別制御チャネル（ＤＣＣＨ：  ｄｅｄｉｃａｔｅｄ  ｃｏｎｔｒｏｌ  ｃｈａｎｎｅｌ）でよい。【００４０】
本実施例に係る基地局装置２００について、図３を参照して説明する。【００４１】
基地局装置２００は、送受信アンテナ２０２と、アンプ部２０４と、送受信部２０６と、ベースバンド信号処理部２０８と、呼処理部２１０と、伝送路インターフェース２１２とを備える。【００４２】
下りリンクにより基地局装置２００から移動局１００ｎに送信されるパケットデータは、基地局装置２００の上位に位置する上位局、例えばアクセスゲートウェイ装置３００から伝送路インターフェース２１２を介してベースバンド信号処理部２０８に入力される。【００４３】
ベースバンド信号処理部２０８では、ＰＤＣＰ ｌａｙｅｒの送信処理、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。【００４４】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００４５】
一方、上りリンクにより移動局１００ｎから基地局装置２００に送信されるパケットデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００４６】
ベースバンド信号処理部２０８では、入力されたベースバンド信号に対して、ＦＦＴ処理、誤り訂正復号、ＭＡＣ再送制御の受信処理、ＲＬＣ  ｌａｙｅｒの受信処理、ＰＤＣＰ  ｌａｙｅｒの受信処理がなされ、伝送路インターフェース２１２を介してアクセスゲートウェイ装置３００に転送される。【００４７】
ここで、パケットデータとは、上述したように、例えば、ＶｏＩＰにおける音声信号や、ＦＴＰ、ストリーミング、Ｗｅｂ  ｂｒｏｗｓｉｎｇ等の各アプリケーションで伝送される信号のことである。
また、ベースバンド信号処理部２０８は、後述するように、移動局１００ｎが送信した上りリンクの信号に基づいて、移動局１００ｎと自基地局装置との間の下りリンクの同期が確立されているか否かを判定する。【００４８】
呼処理部２１０は、移動局１００ｎと基地局装置２００との間の通信状態の管理、基地局装置２００の状態管理やリソース割り当てを行う。呼処理部２１０は、ベースバンド信号処理部２０８内の同期外れ判定部２０８４より、下りリンクの同期状態を受け取る。呼処理部２１０は、ベースバンド信号処理部２０８において下りリンクの同期が外れたと判断された移動局１００ｎとの通信を切断する処理を行ってもよい。このとき、例えば、呼処理部２１０は、ベースバンド信号処理部２０８において下りリンクの同期が外れたと判断された状態が所定の閾値以上の時間継続した場合に、上記ベースバンド信号処理部２０８において同期が外れたと判断された移動局１００ｎとの通信を切断する処理を行ってもよい。【００４９】
次に、ベースバンド信号処理部２０８の構成について、図４を参照して説明する。【００５０】
ベースバンド信号処理部２０８は、レイヤー１処理部２０８１と、ＭＡＣ（Ｍｅｄｉｕｍ  Ａｃｃｅｓｓ  Ｃｏｎｔｒｏｌ）処理部２０８２と、ＲＬＣ処理部２０８３と、同期外れ判定部２０８４とを備える。また、レイヤー１処理部２０８１は、受信処理部２０８１１と、送信処理部２０８１２と、上りリンクのＣＱＩ復調処理部２０８１３と、上りリンクのＡＣＫ  Ｉｎｆｏｒｍａｔｉｏｎ復調処理部２０８１４と、上りリンクのＵＬ−ＳＣＨ復調処理部２０８１５と、上りリンクのＳｏｕｎｄｉｎｇ  ＲＳ復調処理部２０８１６と、下りリンクの変調処理部２０８１７とを備える。【００５１】
ベースバンド信号処理部２０８におけるレイヤー１処理部２０８１とＭＡＣ処理部２０８２とＲＬＣ処理部２０８３と同期外れ判定部２０８４と呼処理部２１０とは、互いに接続されている。また、レイヤー１処理部２０８１内の上りリンクのＣＱＩ復調処理部２０８１３と、上りリンクのＡＣＫ  Ｉｎｆｏｒｍａｔｉｏｎ復調処理部２０８１４と、上りリンクのＵＬ−ＳＣＨ復調処理部２０８１５と、上りリンクのＳｏｕｎｄｉｎｇ  ＲＳ復調処理部２０８１６と、下りリンクの変調処理部２０８１７と、ＭＡＣ処理部２０８２と、同期外れ判定部２０８４とは互いに接続されている。【００５２】
レイヤー１処理部２０８１では、下りリンクで送信されるデータのチャネル符号化やＩＦＦＴ処理、上りリンクで送信されるデータのチャネル復号化やＩＤＦＴ処理、ＦＦＴ処理などが行われる。具体的には、下りリンク送信される信号、例えば、下りリンクの共有チャネル（ＤＬ−ＳＣＨ）やＤＬ  Ｓｃｈｅｄｕｌｉｎｇ  Ｉｎｆｏｒｍａｔｉｏｎ、ＵＬ  Ｓｃｈｅｄｕｌｉｎｇ  Ｇｒａｎｔ、ＵＬ−ＳＣＨに関する送達確認情報、報知チャネル（ＢＣＨ：  ｂｒｏａｄｃａｓｔ  ｃｈａｎｎｅｌ）、ページングチャネル（ＰＣＨ：  ｐａｇｉｎｇ  ｃｈａｎｎｅｌ）等は、下りリンクの変調処理部２０８１７において、ターボ符号や畳み込み符号等の符号化処理やインタリーブ処理、ＤＬ  ＲＳとの多重処理等が行われ、送信処理部２０８１２において、ＩＦＦＴ処理、ＣＰ付加処理等が行われ、送受信部２０６に送信される。【００５３】
一方、上りリンクで受信される信号、例えば、ＣＱＩやＡＣＫ  ｉｎｆｏｒｍａｔｉｏｎ、ＵＬ−ＳＣＨ、復調用リファレンス信号（ＤＭ  ＲＳ：  ｄｅｍｏｄｕｌａｔｏｉｏｎ  Ｒｅｆｅｒｅｎｃｅ  Ｓｉｇｎａｌ）、サウンディング  リファレンス信号（Ｓｏｕｎｄｉｎｇ  ＲＳ）等の信号は、送受信部２０６より、そのベースバンド信号が入力され、受信処理部２０８１１において、ＣＰ除去処理、ＦＦＴ処理、周波数等化処理、逆離散フーリエ変換（ＩＤＦＴ：  ｉｎｖｅｒｓｅ  ｄｉｓｃｒｅｔｅ  Ｆｏｕｒｉｅｒ  ｔｒａｎｓｆｏｒｍ）処理等が行われる。上記処理が行われた後の信号の内、ＣＱＩは上りリンクのＣＱＩ復調処理部２０８１３に入力され、送達確認情報（ＡＣＫ  ｉｎｆｏｒｍａｔｉｏｎ）は上りリンクのＡＣＫ  Ｉｎｆｏｒｍａｔｉｏｎ復調処理部２０８１４に入力され、ＵＬ−ＳＣＨ及びＤＭ  ＲＳは上りリンクのＵＬ−ＳＣＨ復調処理部２０８１５に入力され、Ｓｏｕｎｄｉｎｇ  ＲＳは上りリンクのＳｏｕｎｄｉｎｇ  ＲＳ復調処理部２０８１６に入力される。【００５４】
上りリンクのＣＱＩ復調処理部２０８１３は、無線品質情報であるＣＱＩの復調を行い、移動局１００nから報告されたＣＱＩの値を取得する。そして、上りリンクのＣＱＩ復調処理部２０８１３は、上記移動局１００nから報告されたＣＱＩの値をＭＡＣ処理部２０８２と同期外れ判定部２０８４に出力する。尚、移動局１００nから報告されたＣＱＩは、図２を参照して説明したように、物理上りリンク共有チャネルと時間多重される上りリンク制御チャネルにマッピングされる場合と、物理上りリンク共有チャネルと周波数多重される上りリンク制御チャネルにマッピングされる場合とがある。また、ＣＱＩのみが送信される場合と、ＡＣＫ  Ｉｎｆｏｒｍａｔｉｏｎやスケジューリング  リクエスト（Ｓｃｈｅｄｕｌｉｎｇ  Ｒｅｑｕｅｓｔ）等の他の信号と多重されて送信される場合がある。【００５５】
上りリンクのＡＣＫ  Ｉｎｆｏｒｍａｔｉｏｎ復調処理部２０８１４は、下りリンクの共有チャネル（ＤＬ−ＳＣＨ）の送達確認情報であるＡＣＫ  Ｉｎｆｏｒｍａｔｉｏｎの復調を行い、移動局１００nに対して送信されたＤＬ−ＳＣＨの送達確認情報ＡＣＫ  Ｉｎｆｏｒｍａｔｉｏｎを取得する。そして、上りリンクのＡＣＫ  Ｉｎｆｏｒｍａｔｉｏｎ復調処理部２０８１４は、送達確認情報（ＡＣＫ  Ｉｎｆｏｒｍａｔｉｏｎ）をＭＡＣ処理部２０８２と同期外れ判定部２０８４に入力する。尚、送達確認情報（ＡＣＫ  Ｉｎｆｏｒｍａｔｉｏｎ）は、物理上りリンク共有チャネルと時間多重される上りリンク制御チャネルにマッピングされる場合と、物理上りリンク共有チャネルと周波数多重される上りリンク制御チャネルにマッピングされる場合とがある。また、ＡＣＫ  Ｉｎｆｏｒｍａｔｉｏｎのみが送信される場合と、ＣＱＩやＳｃｈｅｄｕｌｉｎｇ  Ｒｅｑｕｅｓｔ等の他の信号と多重されて送信される場合がある。【００５６】
上りリンクのＵＬ−ＳＣＨ復調処理部２０８１５は、移動局１００nが実際にＵＬ−ＳＣＨを送信したか否かの判定を行う。例えば、ＵＬ−ＳＣＨと時間多重されるＤＭ  ＲＳのＳＩＲを取得し、該ＳＩＲに基づいて、移動局１００nが実際にＵＬ−ＳＣＨを送信したか否かの判定を行う。より具体的には、例えば、所定の閾値を定義し、該ＳＩＲが閾値以上の場合に移動局１００nは実際にＵＬ−ＳＣＨを送信したと判定し、該ＳＩＲが閾値未満の場合に移動局１００nは実際にはＵＬ−ＳＣＨを送信しなかったと判定してもよい。この所定の閾値は、例えば、ＵＬ−ＳＣＨが送信された場合に、ＳＩＲとして得られると予想される値の下限値が設定される。尚、上述した例においては、ＤＭ  ＲＳのＳＩＲを用いたが、代わりに、ＵＬ−ＳＣＨのＳＩＲを用いてもよく、あるいは、ＤＭ  ＲＳのＳＩＲとＵＬ−ＳＣＨのＳＩＲの両方を用いてもよい。そして、上りリンクのＵＬ−ＳＣＨ復調処理部２０８１４は、移動局１００nが実際にＵＬ−ＳＣＨを送信したか否かの判定結果をＭＡＣ制御部２０８２と同期外れ判定部２０８４に通知する。また、上りリンクのＵＬ−ＳＣＨ復調処理部２０８１４は、上りリンクの共有チャネルＵＬ−ＳＣＨの復調を行い、その復調結果をＭＡＣ処理部２０８２に通知する。尚、上述した移動局１００nが実際にＵＬ−ＳＣＨを送信したか否かの判定処理や上りリンクの共有チャネルＵＬ−ＳＣＨの復調処理は、移動局１００nが上りリンクにおいてＵＬ−ＳＣＨを送信すると予想されるサブフレームにおいて行われる。すなわち、当該サブフレームより前のタイミングで、上りリンク  スケジューリング  グラント（ＵＬ  Ｓｃｈｅｄｕｌｉｎｇ  Ｇｒａｎｔ）により、移動局１００nに対してＵＬ−ＳＣＨの送信を指示し、当該サブフレームにおいて、移動局１００nがＵＬ−ＳＣＨを送信すると予想されるサブフレームにおいて上述した処理が行われる。【００５７】
上りリンクのＳｏｕｎｄｉｎｇ  ＲＳ復調処理部２０８１６は、移動局１００nが上りリンクにおいて送信したＳｏｕｎｄｉｎｇ  ＲＳのＳＩＲを算出し、上記Ｓｏｕｎｄｉｎｇ  ＲＳのＳＩＲをＭＡＣ処理部２０８２に入力する。【００５８】
尚、レイヤー１処理部２０８１においては、上述した信号に関する復調処理の他に、リリース  リクエスト（Ｒｅｌｅａｓｅ  ｒｅｑｕｅｓｔ）やスケジューリング  リクエスト（Ｓｃｈｅｄｕｌｉｎｇ  ｒｅｑｕｅｓｔ）の復調処理が行われてもよい。【００５９】
ＭＡＣ処理部２０８２は、レイヤー１処理部２０８１内の上りリンクのＣＱＩ復調処理部２０８１３より、移動局１００nから報告されたＣＱＩの値を受け取り、レイヤー１処理部２０８１内の上りリンクのＡＣＫ  Ｉｎｆｏｒｍａｔｉｏｎ復調処理部２０８１４より、移動局１００nに対して送信されたＤＬ−ＳＣＨの送達確認情報ＡＣＫ  Ｉｎｆｏｒｍａｔｉｏｎを受け取り、レイヤー１処理部２０８１内の上りリンクのＵＬ−ＳＣＨ復調処理部２０８１５より、移動局１００nが実際にＵＬ−ＳＣＨを送信したか否かの判定結果と上りリンクの共有チャネルＵＬ−ＳＣＨの復調結果を受け取り、レイヤー１処理部２０８１内の上りリンクのＳｏｕｎｄｉｎｇ  ＲＳ復調処理部２０８１６より、移動局１００nが上りリンクにおいて送信したＳｏｕｎｄｉｎｇ  ＲＳのＳＩＲを受け取る。【００６０】
ＭＡＣ処理部２０８２は、下りリンクのパケットデータのＭＡＣ再送制御、例えばＨＡＲＱの送信処理や、スケジューリング処理、伝送フォーマットの選択処理、周波数リソースの割り当て処理等を行う。ここで、スケジューリング処理とは、当該サブフレームの下りリンクにおいて共有チャネルを用いてパケットデータの受信を行うユーザ装置を選別する処理のことを指す。また、伝送フォーマットの選択処理とは、スケジューリングにおいて選別された移動局が受信するパケットデータに関する変調方式や符号化率、データサイズを決定する処理のことを指す。変調方式、符号化率、データサイズの決定は、例えば、移動局から上りリンクにおいて報告されるＣＱＩの値に基づいて行われる。さらに、周波数リソースの割り当て処理とは、スケジューリングにおいて選別された移動局が受信するパケットデータに用いられるリソースブロックを決定する処理のことを指す。リソースブロックの決定は、例えば、移動局から上りリンクにおいて報告されるＣＱＩに基づいて行われる。移動局から報告されるＣＱＩは、レイヤー１処理部２０８１より通知される。そして、ＭＡＣ処理部２０８２は、上述したスケジューリング処理、伝送フォーマットの選択処理、周波数リソースの割り当て処理により決定される、物理下りリンク共有チャネルを用いて通信を行うユーザ（移動局）のＩＤや、そのパケットデータのトランスポートフォーマットの情報、すなわち、下りリンク  スケジューリング情報（Ｄｏｗｎｌｉｎｋ  Ｓｃｈｅｄｕｌｉｎｇ  Ｉｎｆｏｒｍａｔｉｏｎ）をレイヤー１処理部２０８１に通知する。また、MAC処理部２０８２は、該移動局に対して送信するパケットデータをレイヤー1処理部２０８１に送信する。【００６１】
また、ＭＡＣ処理部２０８２は、上りリンクのパケットデータのＭＡＣ再送制御の受信処理や、スケジューリング処理、伝送フォーマットの選択処理、周波数リソースの割り当て処理等を行う。ここで、スケジューリング処理とは、所定のサブフレームにおいて共有チャネルを用いてパケットデータの送信を行う移動局を選別する処理のことを指す。また、伝送フォーマットの選択処理とは、スケジューリングにおいて選別された移動局が送信するパケットデータに関する変調方式や符号化率、データサイズを決定する処理のことを指す。変調方式、符号化率、データサイズの決定は、例えば、移動局から上りリンクにおいて送信されるサウンディング用リファレンス信号のＳＩＲや基地局装置と移動局との間のパスロスに基づいて行われる。さらに、周波数リソースの割り当て処理とは、スケジューリングにおいて選別された移動局が送信するパケットデータの送信に用いられるリソースブロックを決定する処理のことを指す。リソースブロックの決定は、例えば、移動局から上りリンクにおいて送信されるサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザ（移動局）のＩＤや、そのユーザデータのトランスポートフォーマットの情報、すなわち、ＵＬ  Ｓｃｈｅｄｕｌｉｎｇ  Ｇｒａｎｔを生成し、レイヤー１処理部２０８１に通知する。また、ＭＡＣ処理部２０８２は、上りリンクの共有チャネルＵＬ−ＳＣＨの復調結果に基づき、送達確認情報を生成し、その上りリンクの共有チャネルＵＬ−ＳＣＨに対する送達確認情報をレイヤー１処理部２０８１に通知する。【００６２】
ＭＡＣ処理部２０８２は、同期外れ判定部２０８４より、移動局１００ｎと基地局装置２００との間の下りリンクにおいて同期が外れているという判定結果を通知された場合に、該移動局１００ｎをスケジューリングの対象から外す処理を行う。すなわち、ＭＡＣ処理部２０８２は、下りリンクにおいて同期が外れていない移動局を対象として、下りリンクの共有チャネルを割り当てるスケジューリングを行う。尚、ＭＡＣ処理部２０８２は、該移動局１００ｎを下りリンクの共有チャネルを割り当てるスケジューリングの対象から外すだけでなく、上りリンクの共有チャネルを割り当てるスケジューリングの対象からも外してもよい。【００６３】
また、ＭＡＣ処理部２０８２は、ＭＡＣレイヤーにおける下りリンクの共有チャネルの再送回数が最大再送回数を超過したか否かを観測し、その観測結果を同期外れ判定部２０８４に通知する。【００６４】
ＲＬＣ処理部２０８３では、下りリンクのパケットデータに関する、分割・結合、ＲＬＣ再送制御の送信処理等のＲＬＣ  ｌａｙｅｒの送信処理や、上りリンクのデータに関する、分割・結合、ＲＬＣ再送制御の受信処理等のＲＬＣ  ｌａｙｅｒの受信処理が行われる。尚、ＲＬＣ処理部２０８３においては、上記ＲＬＣ  ｌａｙｅｒの処理に加えて、ＰＤＣP  ｌａｙｅｒの処理が行われてもよい。【００６５】
同期外れ判定部２０８４は、上りリンクのＣＱＩ復調処理部２０８１３より、移動局１００nから報告されたＣＱＩの値を受け取り、該ＣＱＩの値に基づいて、移動局１００nと基地局装置２００との間の下りリンクの同期が外れているか否かを判定する。例えば、同期外れ判定部２０８４は、該ＣＱＩの値が所定の閾値以上である場合に、移動局１００nと基地局装置２００との間の下りリンクの同期が外れていない（下りリンクの同期が確立されている）と判定し、該ＣＱＩの値が所定の閾値未満である場合に、移動局１００nと基地局装置２００との間の下りリンクの同期が外れている（下りリンクの同期が確立されていない）と判定してもよい。尚、同期外れ判定部２０８４は、上述した下りリンクの同期が外れているか否かの判定を、ヒステリシスや保護段数、言い換えればマージンを設定して行ってもよい。【００６６】
具体的には、同期外れ判定部２０８４は、下りリンクの同期が外れていないと判定している状態から下りリンクの同期が外れていると判定する場合の閾値をＴＨとした場合に、下りリンクの同期が外れていると判定している状態から下りリンクの同期が外れていないと判定する場合の閾値をＴＨ＋２と設定してもよい。上述した例において、「＋２」がヒステリシスに相当する。尚、「＋２」は一例であり、２以外の数であってもよく、適宜変更可能である。あるいは、同期外れ判定部２０８４は、下りリンクの同期が外れていないと判定している状態から下りリンクの同期が外れていると判定する場合に、ＣＱＩの値が所定の閾値未満である状態が所定の時間（以下、Ｔ１と記載する）以上継続した場合に、下りリンクの同期が外れていると判定してもよい。また、同期外れ判定部２０８４は、下りリンクの同期が外れていると判定している状態から下りリンクの同期が外れていないと判定する場合に、ＣＱＩの値が所定の閾値以上である状態が所定の時間（以下、Ｔ２と記載する）以上継続した場合に、下りリンクの同期が外れていると判定してもよい。尚、Ｔ１とＴ２は同じ値であってもよく、異なる値であってもよい。例えば、Ｔ１の値として、２００ｍｓという値を設定し、Ｔ２の値として、１００ｍｓという値を設定してもよい。１００ｍｓや２００ｍｓといった、ある程度、長区間の判定区間を設定することにより、判定誤りを低減することが可能となる。尚、上述した１００ｍｓや２００ｍｓといった値は一例であり、それ以外の値であってもよい。【００６７】
あるいは、同期外れ判定部２０８４は、ＣＱＩの値が０でない場合に、移動局１００nと基地局装置２００との間の下りリンクの同期が外れていないと判定し、ＣＱＩの値が０である場合に、移動局１００nと基地局装置２００との間の下りリンクの同期が外れていると判定してもよい。また、この場合にも、上述したようなヒステリシスや保護段数を用いて判定を行ってもよい。【００６８】
また、上りリンクのＡＣＫ  Ｉｎｆｏｒｍａｔｉｏｎ復調処理部２０８１４より、移動局１００nにより送信されたＡＣＫ  Ｉｎｆｏｒｍａｔｉｏｎを受け取り、該ＡＣＫ  Ｉｎｆｏｒｍａｔｉｏｎの値に基づいて、移動局１００nと基地局装置２００との間の下りリンクの同期が外れているか否かを判定する。【００６９】
ここで、ＡＣＫ  Ｉｎｆｏｒｍａｔｉｏｎが持つ意味について説明を行う。ＡＣＫ  Ｉｎｆｏｒｍａｔｉｏｎには、下りリンクの共有チャネルが正しく受信されたことを示す肯定応答（ＡＣＫ）と、下りリンクの共有チャネルが正しく受信されなかったことを示す否定応答（ＮＡＣＫ）と、移動局１００nが下りリンクの共有チャネルが送信されたことに気づかなかったことを示す間欠送信（ＤＴＸ）の３種類がある。ここで、ＤＴＸは、移動局１００nが、本来ＡＣＫ  Ｉｎｆｏｒｍａｔｉｏｎを送信すべきタイミングにおいて、ＡＣＫ  Ｉｎｆｏｒｍａｔｉｏｎを送信しない場合に生じる。本事象は、移動局１００nが、自局宛に下りリンクの共有チャネルが送信されることを示すＤＬ  Ｓｃｈｅｄｕｌｉｎｇ  Ｉｎｆｏｒｍａｔｉｏｎを正常に受信できなかった場合に発生する。以上をまとめると、下りリンクの同期が外れているか否かは、ＮＡＣＫとＤＴＸの頻度により判定することができると考えられる。【００７０】
例えば、同期外れ判定部２０８４は、下りリンクの同期が外れていないと判定している状態において、ＡＣＫ  ＩｎｆｏｒｍａｔｉｏｎがＮＡＣＫ又はＤＴＸである事象が、所定の時間間隔（以下、Ｔ３と記載する）以上の時間連続した場合に、移動局１００nと基地局装置２００との間の下りリンクの同期が外れていると判定してもよい。すなわち、上記T3の間の全てのACK  InformationがNACKまたはDTXであった場合に同期が外れていると判定してもよい。例えば、Ｔ３の値として、２００ｍｓという値を設定してもよい。この２００ｍｓといった、ある程度、長区間の判定区間を設定することにより、判定誤りを低減することが可能となる。尚、上述した２００ｍｓといった値は一例であり、それ以外の値であってもよい。また、同期外れ判定部２０８４は、下りリンクの同期が外れていると判定している状態において、ＡＣＫ  ＩｎｆｏｒｍａｔｉｏｎがＡＣＫである事象が１回でも発生した場合に、移動局１００nと基地局装置２００との間の下りリンクの同期が外れていないと判定してもよい。あるいは、同期外れ判定部２０８４は、移動局１００nと基地局装置２００との間の下りリンクの同期が外れていると判定している状態から、移動局１００nと基地局装置２００との間の下りリンクの同期が外れていないと判定する場合には、上記ACK  Informationではなく、上述したCQIの値を用いた判定を行ってもよい。あるいは、上記ACK  Informationに基づいた判定と、上述したCQIの値を用いた判定の両方を行ってもよい。このとき、両方とも同期が外れていないと判定した場合に、同期が外れていないと判定してもよく、あるいは、どちらか一方が、同期が外れていないと判定した場合に、同期が外れていないと判定してもよい。【００７１】
尚、所定の時間間隔Ｔ３の代わりに、所定の事象の数（以下、Ｘ３と記載する）で判定してもよい。すなわち、ＡＣＫ  ＩｎｆｏｒｍａｔｉｏｎがＮＡＣＫ又はＤＴＸである事象がＸ３回連続した場合に、上記と同様の判定を行ってもよい。また、同期外れ判定部２０８４は、下りリンクの同期が外れていると判定している状態において、ＡＣＫ  ＩｎｆｏｒｍａｔｉｏｎがＡＣＫである事象が１回でも発生した場合に、移動局１００nと基地局装置２００との間の下りリンクの同期が外れていないと判定してもよい。例えば、Ｘ３の値として、１０回という値を設定してもよい。この１０回といった、ある程度、多くの事象を観察することにより、判定誤りを低減することが可能となる。尚、上述した１０回といった値は一例であり、それ以外の値であってもよい。【００７２】
尚、上述した例においては、ＡＣＫ  ＩｎｆｏｒｍａｔｉｏｎがＡＣＫである事象が１回でも発生した場合に、同期が外れていないと判定し、ＡＣＫ  ＩｎｆｏｒｍａｔｉｏｎがＮＡＣＫ又はＤＴＸである事象がＴ３の間連続して発生した場合に、同期が外れていると判定したが、代わりに、Ｔ３の間の、全ＡＣＫ  Ｉｎｆｏｒｍａｔｉｏｎに対するＮＡＣＫ又はＤＴＸの割合が所定の閾値以上の場合に同期が外れていると判定し、全ＡＣＫ  Ｉｎｆｏｒｍａｔｉｏｎに対するＮＡＣＫ又はＤＴＸの割合が所定の閾値未満の場合に同期が外れていないと判定してもよい。また、この場合にも、上述したように、閾値にヒステリシスを設けてもよいし、判定を行う際に保護段数を設けてもよい。【００７３】
また、同期外れ判定部２０８４は、MAC処理部２０８２から受け取った、ＭＡＣレイヤーにおける下りリンクの共有チャネルの再送回数が最大再送回数を超過したか否かの観測結果に基づいて、移動局１００nと基地局装置２００との間の下りリンクの同期状態を判定してもよい。【００７４】
例えば、同期外れ判定部２０８４は、下りリンクの同期が外れていないと判定している状態において、下りリンクの共有チャネルの再送回数が最大再送回数を超過するという事象が、所定の時間間隔（以下、Ｔ４と記載する）において、X５回以上発生した場合に、移動局１００nと基地局装置２００との間の下りリンクの同期が外れていると判定してもよい。また、同期外れ判定部２０８４は、下りリンクの同期が外れていると判定している状態において、下りリンクの共有チャネルの再送回数が最大再送回数を超過するという事象が、所定の時間間隔（以下、Ｔ４と記載する）において、X５回未満しか発生しなかった場合に、移動局１００nと基地局装置２００との間の下りリンクの同期が外れていないと判定してもよい。尚、Ｔ４の値として、例えば、２００ｍｓという値を設定してもよい。この場合、２００ｍｓという、ある程度、長区間の測定を行うことにより、判定誤りを低減することが可能となる。尚、上述した２００ｍｓといった値は一例であり、それ以外の値であってもよい。また、前記Ｘ５の値として、３回という値が設定されてもよい。この３回といった、複数の事象を観察することにより、判定誤りを低減することが可能となる。尚、上述した３回といった値は一例であり、それ以外の値であってもよい。あるいは、同期外れ判定部２０８４は、移動局１００nと基地局装置２００との間の下りリンクの同期が外れていると判定している状態から、移動局１００nと基地局装置２００との間の下りリンクの同期が外れていないと判定する場合には、上記再送回数が最大再送回数を超過した事象ではなく、上述したCQIの値を用いた判定を行ってもよい。あるいは、上記再送回数が最大再送回数を超過した事象に基づいた判定と、上述したCQIの値を用いた判定の両方を行ってもよい。このとき、両方とも同期が外れていないと判定した場合に、同期が外れていないと判定してもよく、あるいは、どちらか一方が、同期が外れていないと判定した場合に、同期が外れていないと判定してもよい。また、この場合にも、上述したように、閾値（X5の値）にヒステリシスを設けてもよいし、判定を行う際に保護段数を設けてもよい。【００７５】
また、上りリンクのＵＬ−ＳＣＨ復調処理部２０８１５より、移動局１００nが実際にＵＬ−ＳＣＨを送信したか否かの判定結果を受け取り、該判定結果に基づいて、移動局１００nと基地局装置２００との間の下りリンクの同期が外れているか否かを判定する。【００７６】
ここで、移動局１００nが実際にＵＬ−ＳＣＨを送信したか否かの判定結果が持つ意味について説明を行う。移動局１００nが実際にＵＬ−ＳＣＨを送信したか否かの判定は、当該サブフレームの前のタイミングにおいて基地局装置２００から移動局１００nに対して、当該サブフレームにおいてＵＬ−ＳＣＨの送信を指示するＵＬ  Ｓｃｈｅｄｕｌｉｎｇ  Ｇｒａｎｔを指示している場合に行われる。よって、移動局１００nがＵＬ−ＳＣＨを送信しないという判定結果は、移動局１００nがＵＬ  Ｓｃｈｅｄｕｌｉｎｇ  Ｇｒａｎｔを正常に受信できなかったことを意味する。すなわち、下りリンクの同期が外れているか否かは、移動局１００nが実際にＵＬ−ＳＣＨを送信したか否かの判定結果により判定することができると考えられる。【００７７】
例えば、同期外れ判定部２０８４は、下りリンクの同期が外れていないと判定している状態において、移動局１００nが実際にはＵＬ−ＳＣＨを送信しなかったという判定結果が所定の時間間隔（以下、Ｔ３と記載する）以上連続した場合に、移動局１００nと基地局装置２００との間の下りリンクの同期が外れていると判定してもよい。すなわち、上記T3の間の全てのUL-SCHの受信タイミングにおいて、移動局１００nが実際にはＵＬ−ＳＣＨを送信しなかったという判定結果であった場合に同期が外れていると判定してもよい。尚、Ｔ３の値として、例えば、２００ｍｓという値を設定してもよい。この場合、２００ｍｓという、ある程度、長区間の測定を行うことにより、判定誤りを低減することが可能となる。尚、上述した２００ｍｓといった値は一例であり、それ以外の値であってもよい。また、同期外れ判定部２０８４は、下りリンクの同期が外れていると判定している状態において、移動局１００nが実際にＵＬ−ＳＣＨを送信したという判定結果が１回でも存在した場合に、移動局１００nと基地局装置２００との間の下りリンクの同期が外れていないと判定してもよい。あるいは、同期外れ判定部２０８４は、移動局１００nと基地局装置２００との間の下りリンクの同期が外れていると判定している状態から、移動局１００nと基地局装置２００との間の下りリンクの同期が外れていないと判定する場合には、上記移動局１００nが実際にＵＬ−ＳＣＨを送信したという判定結果ではなく、上述したCQIの値を用いた判定を行ってもよい。あるいは、上記移動局１００nが実際にＵＬ−ＳＣＨを送信したという判定結果に基づいた判定と、上述したCQIの値を用いた判定の両方を行ってもよい。このとき、両方とも同期が外れていないと判定した場合に、同期が外れていないと判定してもよく、あるいは、どちらか一方が、同期が外れていないと判定した場合に、同期が外れていないと判定してもよい。【００７８】
尚、所定の時間間隔Ｔ３の代わりに、所定の事象の数（以下、Ｘ３と記載する）で判定してもよい。すなわち、移動局１００nが実際にはＵＬ−ＳＣＨを送信しなかったという判定結果がＸ３回連続した場合に、上記と同様の判定を行ってもよい。また、同期外れ判定部２０８４は、下りリンクの同期が外れていると判定している状態において、移動局１００nが実際にＵＬ−ＳＣＨを送信したという判定結果が１回でも存在した場合に、移動局１００nと基地局装置２００との間の下りリンクの同期が外れていないと判定してもよい。前記Ｘ３の値として、３回という値が設定されてもよい。この３回といった、複数の事象を観察することにより、判定誤りを低減することが可能となる。尚、上述した３回といった値は一例であり、それ以外の値であってもよい。【００７９】
尚、上述した例においては、移動局１００nが実際にＵＬ−ＳＣＨを送信したという判定結果が１回でも存在した場合に、同期が外れていないと判定し、移動局１００nが実際にはＵＬ−ＳＣＨを送信しなかったという判定結果がＴ３以上連続した場合に、同期が外れていると判定したが、代わりに、Ｔ３の間の、全判定結果に対する、移動局１００nが実際にはＵＬ−ＳＣＨを送信しなかったという判定結果の割合が所定の閾値以上の場合に、同期が外れていると判定し、全判定結果に対する、移動局１００nが実際にはＵＬ−ＳＣＨを送信しなかったという判定結果の割合が所定の閾値未満の場合に、同期が外れていないと判定してもよい。また、この場合にも、上述したように、閾値にヒステリシスを設けてもよいし、判定を行う際に保護段数を設けてもよい。【００８０】
尚、同期外れ判定部２０８４は、上述した、ＣＱＩによる下りリンクの同期外れの判定、ＡＣＫ  Ｉｎｆｏｒｍａｔｉｏｎによる下りリンクの同期外れの判定、移動局１００nが実際にＵＬ−ＳＣＨを送信したか否かの判定結果による下りリンクの同期外れの判定の内、全てを用いて同期外れの検出を行ってもよいし、３つの内の１つ又は２つを用いて同期外れの判定を行ってもよい。【００８１】
また、同期外れ判定部２０８４は、上述した、ＣＱＩによる下りリンクの同期外れの判定、ＡＣＫ  Ｉｎｆｏｒｍａｔｉｏｎによる下りリンクの同期外れの判定、移動局１００nが実際にＵＬ−ＳＣＨを送信したか否かの判定結果による下りリンクの同期外れの判定を、ランダムアクセス手順を行う場合に行ってもよい。例えば、同期外れ判定部２０８４は、ランダムアクセス手順におけるメッセージ１（Ｍｅｓｓａｇｅ１）又はメッセージ３（Ｍｅｓｓａｇｅ３）に含まれる無線品質情報に基づいて、下りリンクの同期外れの判定を行ってもよい。あるいは、同期外れ判定部２０８４は、ランダムアクセス手順におけるメッセージ２（Ｍｅｓｓａｇｅ２）又はメッセージ４（Ｍｅｓｓａｇｅ４）に対する送達確認情報に基づいて、下りリンクの同期外れの判定を行ってもよい。あるいは、同期外れ判定部２０８４は、ランダムアクセス手順におけるＭｅｓｓａｇｅ３が実際に送信されたか否かの判定結果に基づいて、下りリンクの同期外れの判定を行ってもよい。
あるいは、同期外れ判定部２０８４は、ランダムアクセス手順におけるＭｅｓｓａｇｅ３の復号結果に基づいて、下りリンクの同期外れを行ってもよい。すなわち、同期外れ判定部２０８４は、ランダムアクセス手順におけるＭｅｓｓａｇｅ３のＣＲＣチェック結果がＯＫである場合に、同期が確立しているとみなし、ランダムアクセス手順におけるＭｅｓｓａｇｅ３のＣＲＣチェック結果が、最大再送回数が満了した場合にも、ＮＧであった場合に、同期が確立していないとみなしてもよい。尚、最大再送回数が満了した場合にも、ＣＲＣチェック結果がＮＧであるとは、ＨＡＲＱの再送が行われた後でも、復号結果がＮＧであることを指す。
あるいは、同期外れ判定部２０８４は、ランダムアクセス手順におけるＭｅｓｓａｇｅ２に含まれるＵＬ  Ｓｃｈｅｄｕｌｉｎｇ  Ｇｒａｎｔに対応する上りリンクの共有チャネルの復号結果に基づいて、下りリンクの同期外れを行ってもよい。すなわち、同期外れ判定部２０８４は、ランダムアクセス手順におけるＭｅｓｓａｇｅ２に含まれるＵＬ  Ｓｃｈｅｄｕｌｉｎｇ  Ｇｒａｎｔに対応する上りリンクの共有チャネルのＣＲＣチェック結果がＯＫである場合に、同期が確立しているとみなし、ランダムアクセス手順におけるＭｅｓｓａｇｅ２に含まれるＵＬ  Ｓｃｈｅｄｕｌｉｎｇ  Ｇｒａｎｔに対応する上りリンクの共有チャネルのＣＲＣチェック結果が、最大再送回数が満了した場合にも、ＮＧであった場合に、同期が確立していないとみなしてもよい。【００８２】
同期外れ判定部２０８４は、上述した処理により求めた移動局１００nに関する下りリンクの同期外れの判定結果を、ＭＡＣ処理部２０８２と呼処理部２１０に通知する。【００８３】
尚、同期外れ判定部２０８４は、上述した処理により、下りリンクの同期状態、すなわち、同期が外れているか否かを判定したが、前記下りリンクの同期状態を、上りリンクの同期状態とみなしてもよい。すなわち、同期外れ判定部２０８４は、上述した処理により、上りリンクの同期状態を判定してもよい。この場合、下りリンクの同期状態と上りリンクの同期状態は、同じ状態であるとみなされる。【００８４】
次に、本実施例に係る基地局装置２００における送信制御方法としての下りリンク同期外れ検出方法について、図５を参照して説明する。【００８５】
基地局装置２００は、同期外れ判定部２０８４において、上りリンクのＣＱＩ復調処理部２０８１３より入力された、移動局１００nから報告されたＣＱＩの値に基づいて、移動局１００nと基地局装置２００との間の下りリンクの同期が外れているか否かを判定する（ステップＳ５０２）。例えば、同期外れ判定部２０８４は、入力されたＣＱＩの値が所定の閾値以上である場合に移動局１００nと基地局装置２００との間の下りリンクの同期が外れていないと判定し、入力されたＣＱＩの値が所定の閾値未満である場合に移動局１００nと基地局装置２００との間の下りリンクの同期が外れていると判定する。【００８６】
入力されたＣＱＩの値が所定の閾値以上である場合（ステップＳ５０２：ＮＯ）、同期外れ判定部２０８４は、上りリンクのＡＣＫ  Ｉｎｆｏｒｍａｔｉｏｎ復調処理部２０８１４より入力された移動局１００nにより送信されたＡＣＫ  Ｉｎｆｏｒｍａｔｉｏｎに基づいて、移動局１００nと基地局装置２００との間の下りリンクの同期が外れているか否かを判定する（ステップＳ５０４）。例えば、同期外れ判定部２０８４は、下りリンクの同期が外れていないと判定している状態において、ＡＣＫ  ＩｎｆｏｒｍａｔｉｏｎがＮＡＣＫ又はＤＴＸである事象が所定の時間間隔以上連続した場合に、移動局１００nと基地局装置２００との間の下りリンクの同期が外れていると判定し、ＡＣＫ  ＩｎｆｏｒｍａｔｉｏｎがＮＡＣＫ又はＤＴＸである事象の連続時間が所定の時間間隔未満である場合に、移動局１００nと基地局装置２００との間の下りリンクの同期が外れていないと判定する。【００８７】
尚、上述した、ステップS504におけるACK Informationによる判定の代わりに、再送回数が最大再送回数を超過した事象に基づいた、下りリンクの同期外れの判定を行ってもよい。あるいは、上述したステップS504におけるACK Informationによる判定と、再送回数が最大再送回数を超過した事象に基づいた判定の両方を行ってもよい。【００８８】
ＡＣＫ  ＩｎｆｏｒｍａｔｉｏｎがＮＡＣＫ又はＤＴＸである事象の連続時間が所定の時間間隔未満である場合（ステップＳ５０４：ＮＯ）、同期外れ判定部２０８４は、上りリンクのＵＬ−ＳＣＨ復調処理部２０８１５より入力された移動局１００nが実際にＵＬ−ＳＣＨを送信したか否かの判定結果に基づいて、移動局１００nと基地局装置２００との間の下りリンクの同期が外れているか否かを判定する（ステップＳ５０６）。例えば、同期外れ判定部２０８４は、下りリンクの同期が外れていないと判定している状態において、移動局１００nが実際にはＵＬ−ＳＣＨを送信しなかったという判定結果が所定の時間間隔以上連続した場合に移動局１００nと基地局装置２００との間の下りリンクの同期が外れていると判定し、移動局１００nが実際にはＵＬ−ＳＣＨを送信しなかったという判定結果の連続時間が所定の時間間隔未満である場合に移動局１００nと基地局装置２００との間の下りリンクの同期が外れていないと判定する。【００８９】
移動局１００nが実際にはＵＬ−ＳＣＨを送信しなかったという判定結果の連続時間が所定の時間間隔未満である場合（ステップＳ５０６：ＮＯ）、同期外れ判定部２０８４は、無線基地局装置２００と、移動局１００ｎとは、下りリンクにおいて、同期が確立されていると判断する（ステップＳ５０８）。【００９０】
一方、ステップＳ５０２において、入力されたＣＱＩの値が所定の閾値未満である場合（ステップＳ５０２：ＹＥＳ）、ステップＳ５０４において、ＡＣＫ  ＩｎｆｏｒｍａｔｉｏｎがＮＡＣＫ又はＤＴＸである事象の連続時間が所定の時間間隔以上である場合（ステップＳ５０４：ＹＥＳ）及びステップＳ５０６において、移動局１００nが実際にはＵＬ−ＳＣＨを送信しなかったという判定結果の連続時間が所定の時間間隔以上である場合（ステップＳ５０６：ＹＥＳ）、同期外れ判定部２０８４は、無線基地局装置２００と、移動局１００ｎとは、下りリンクにおいて、同期が外れていると判断する（ステップＳ５１０）。【００９１】
次に、本実施例に係る基地局装置２００における送信制御方法としてのＭＡＣ処理部２０８２におけるスケジューリング方法について、図６を参照して説明する。【００９２】
ＭＡＣ処理部２０８２には、同期外れ判定部２０８４より、移動局１００ｎと基地局装置２００との間の下りリンクにおいて同期が外れているか否かの判定結果が入力される。【００９３】
ＭＡＣ処理部２０８２は、入力された移動局１００ｎと基地局装置２００との間の下りリンクにおいて同期が外れているか否かの判定結果に基づいて、セル内において通信中の移動局の下りリンクの同期が外れているか否かを判断する（ステップＳ６０２）。【００９４】
セル内において通信中の移動局の下りリンクの同期が外れていないと判断される場合（ステップＳ６０２：ＮＯ）、ＭＡＣ処理部２０８２は、この通信中の移動局をスケジューリングの対象とする（ステップＳ６０４）。ここで、スケジューリングの対象とするとは、共有チャネルを割り当てるためのスケジューリングの候補とすることをいう。すなわち、実際の共有チャネルが割り当てられるか否かは、スケジューリングの結果による。また、ステップＳ６０４において、ＭＡＣ処理部２０８２は、この通信中の移動局に共有チャネルを割り当てるようにしてもよい。共有チャネルを割り当てるとは、実際に無線リソースを割り当てて、通信をさせることをいう。【００９５】
一方、セル内において通信中の移動局の下りリンクの同期が外れていると判断される場合（ステップＳ６０２：ＹＥＳ）、ＭＡＣ処理部２０８２は、この通信中の移動局をスケジューリングの対象としない（ステップＳ６０６）。また、ステップＳ６０６において、ＭＡＣ処理部２０８２は、この通信中に対して共有チャネルを割り当てないようにしてもよい。【００９６】
次に、本実施例に係る基地局装置２００における送信制御方法としての呼処理部２１０における通信制御方法について、図７を参照して説明する。【００９７】
ベースバンド信号処理部２０８は、通信開始時に、下りリンクの同期が外れたと判断された状態が所定の閾値以上の時間継続した場合に、呼処理部２１０に、同期が外れたことを示す情報を入力する。【００９８】
呼処理部２１０は、セル内において、通信中の移動局の下りリンクの同期が外れているか否かを判断する（ステップＳ７０２）。例えば、呼処理部２１０は、ベースバンド信号処理部２０８により同期が外れたことを示す情報が入力された場合には同期が外れたと判断し、入力されない場合には同期がとれていると判断する。【００９９】
セル内において通信中の移動局の下りリンクの同期が外れていると判断されない場合（ステップＳ７０２：ＮＯ）、呼処理部２１０はこの通信中の移動局との通信を継続する（ステップＳ７０４）。【０１００】
一方、セル内において通信中の移動局の下りリンクの同期が外れていると判断される場合（ステップＳ７０２：ＹＥＳ）、呼処理部２１０はこの通信中の移動局との通信を切断する（ステップＳ７０６）。【０１０１】
次に、本発明の他の実施例に係る基地局装置が適用される無線通信システムについて説明する。【０１０２】
本実施例に係る基地局装置は、ＣＱＩに関してＤＴＸ判定を行うことにより、下りリンクの同期外れを検出する。【０１０３】
本実施例に係る無線通信システムの構成は図１を参照して説明した構成と同様である。本実施例に係る基地局装置の構成は、図３及び図４を参照して説明した構成と同様である。【０１０４】
移動局１００ｎは、下りリンクの同期外れを検出した場合にはＣＱＩを送信しない。同期外れ判定部２０８４は、移動局１００ｎがＣＱＩの送信タイミングにおいて実際にＣＱＩを送信したか否かを判定する。例えば、同期外れ判定部２０８４は、移動局１００ｎがＣＱＩの送信タイミングにおいてＣＱＩを受信しない、言い換えれば上りリンクのＣＱＩ復調処理部２０８１３によりＣＱＩが入力されない場合に、移動局１００nと基地局装置２００との間の下りリンクの同期が外れていると判定し、移動局１００ｎがＣＱＩの送信タイミングにおいてＣＱＩを受信した、言い換えれば上りリンクのＣＱＩ復調処理部２０８１３によりＣＱＩが入力された場合に、移動局１００nと基地局装置２００との間の下りリンクの同期が外れていない（同期がとれている）判定するようにしてもよい。【０１０５】
次に、本発明の他の実施例に係る基地局装置が適用される無線通信システムについて説明する。【０１０６】
本実施例に係る基地局装置は、Sounding  RSに関してＤＴＸ判定を行うことにより、下りリンクの同期外れを検出する。【０１０７】
本実施例に係る無線通信システムの構成は図１を参照して説明した構成と同様である。本実施例に係る基地局装置の構成は、図３及び図４を参照して説明した構成と同様である。【０１０８】
移動局１００ｎは、下りリンクの同期外れを検出した場合にはSounding  RSを送信しない。同期外れ判定部２０８４は、移動局１００ｎがSounding  RSの送信タイミングにおいて実際にSounding  RSを送信したか否かを判定する。例えば、同期外れ判定部２０８４は、移動局１００ｎがSounding  RSの送信タイミングにおいてSounding  RSを受信しない、言い換えれば上りリンクのSounding  RS復調処理部２０８１６によりSounding  RSが入力されない場合に、移動局１００nと基地局装置２００との間の下りリンクの同期が外れていると判定し、移動局１００ｎがSounding  RSの送信タイミングにおいてSounding  RSを受信した、言い換えれば上りリンクのSounding  RS復調処理部２０８１６によりSounding  RSが入力された場合に、移動局１００nと基地局装置２００との間の下りリンクの同期が外れていない（同期がとれている）判定するようにしてもよい。【０１０９】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び送信制御方法は、下りリンク及び上りリンクにおいて共有チャネルを用いた通信を行っている全てのシステムにおいて適用することが可能である。【０１１０】
また、上述した説明においては、「下りリンクの同期が外れている／外れていない」という表現を用いたが、これは、「下りリンクの同期が確立されていない／確立されている」や「Downlink Out-of-Synchronization/Downlink In-Synchronization」という表現と同等である。【０１１１】
説明の便宜上、発明の理解を促すため具体的な数値例を用いて説明されるが、特に断りのない限り、それらの数値は単なる一例に過ぎず適切な如何なる値が使用されてよい。【０１１２】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【０１１３】
本国際出願は、２００７年８月１４日に出願した日本国特許出願２００７−２１１５８７号に基づく優先権を主張するものであり、２００７−２１１５８７の全内容を本国際出願に援用する。
【図１】
2009022605.tif 000003
【図２】
2009022605.tif 000004
【図３】
2009022605.tif 000005
【図４】
2009022605.tif 000006
【図５】
2009022605.tif 000007
【図６】
2009022605.tif 000008
【図７】
2009022605.tif 000009
【国際調査報告】
2009022605.tif 000010
2009022605.tif 000011